(57)【要約】【課題】  指先を意図的に突かない限り怪我する心配が殆どなく安全に裁縫可能で、しかも、色や太さの異なる様々な天然繊維製の糸あるいは合成繊維製の糸を取着して自由に繰り返し使える縫い針を提供すること。【解決手段】  針本体１がプラスチック製で、この針本体１の表面部２における針先３を除く中央部４あるいは基端部５に縫い糸１０が取着可能な溝深さからなる環状溝部６を有するか、あるいは、当該環状溝部６の基端側に連続して、縫い糸１０が取着可能な溝幅からなる長手方向に沿う係止溝部９を有するか、もしくは、環状溝部６と係止溝部９の双方を有している。【選択図】  図４
2006051245.tif 000002
【特許請求の範囲】
【請求項１】
針本体がプラスチック製で、この針本体の表面部における針先を除く中央部および／または基端部に縫い糸が取着可能な溝深さからなる環状溝部を有していることを特徴とする縫い針。
【請求項２】
針本体がプラスチック製で、この針本体の表面部における少なくとも基端部に縫い糸が取着可能な溝幅からなる長手方向に沿う係止溝部を有していることを特徴とする縫い針。
【請求項３】
針本体がプラスチック製で、この針本体の表面部における針先を除く中央部あるいは基端部に縫い糸が取着可能な溝深さからなる環状溝部を、当該環状溝部の基端側に連続して、縫い糸が取着可能な溝幅からなる長手方向に沿う係止溝部を、それぞれ有していることを特徴とする縫い針。
【発明の詳細な説明】
【技術分野】
【０００１】
本発明は針穴への糸通しが不要である縫い針に関する。
【背景技術】
【０００２】
例えば、先行文献１に記載されている金属製縫い針があり、構成は、針先と反対側の基端部に切り込みを設け、この切り込みに糸を引っ掛けるようにすることで、糸通しを不要にしてあるものである。
また、先行文献２に記載されている合成樹脂製の縫い針がある。この縫い針の構成は、針の頭から合成繊維の糸条を形成し、一体化したもので、使い捨ての糸通し不要なものになっている。
ところで、前者の金属製縫い針では、針先が硬く強靭であるため、生地が厚地である場合や織り目が細かくても支障なく裁縫できるものであるが、反面、硬く鋭い針先で指先を突いて怪我してしまうことがある。
この点、後者の合成樹脂製縫い針では、指先を意図的に突かない限り怪我する心配は殆どなく安全であるといえる。一方、糸を通す針孔がなく、針の頭に合成繊維製の糸を一体に形成してあるものであるため、糸は合成繊維製のものに限定され、色や太さの異なる様々な天然繊維製の糸が使えないことはもとより、合成繊維製糸であっても別体であれば使えない。同様に、針の頭から合成繊維製糸が切れた場合も、針孔がないので使えないという不都合がある。
【先行文献１】
【０００３】
実開平６−７５３８３号公報
【先行文献２】
【０００４】
実開昭６０−１４７３８８号公報
【発明の開示】
【発明が解決しようとする課題】
【０００５】
解決しようとする課題は、指先を意図的に突かない限り怪我する心配が殆どなく安全に裁縫可能で、しかも、色や太さの異なる様々な天然繊維製の糸あるいは合成繊維製の糸を取着して自由に繰り返し使える縫い針を提供することにある。
【課題を解決するための手段】
【０００６】
本発明は前記した課題を達成するため、以下の構成にしたことを特徴とする。
１．針本体がプラスチック製で、この針本体の表面部における針先を除く中央部および／または基端部に縫い糸が取着可能な溝深さからなる環状溝部を有していることを特徴とする。
針本体は、一端が針先である態様であってもよいし、両端が針先である態様であってもよい。この針本体の断面形状は、丸形状、角形状、異形状、その他のこれらに類する断面形状のいずれであってもよく、たとえば生地に通す際の抵抗すなわち摩擦抵抗が軽減される異形状が望ましい。そして、針本体の材質は、ポリオキシメチレン、生分解性樹脂等のプラスチックであり、ジュラコン（商品名）等の自己潤滑性に富むエンジニアリングプラスチックが望ましい。また、針本体を赤や黒等の適宜の色にすることで意匠性を高め、商品価値をあげるようにしてもよい。生分解性樹脂としては、ポリ乳酸系、ポリラクタイド等が挙げられる。環状溝部は、中央部あるいは基端部に設けてもよいし、中央部および基端部に設けてもよく、溝数は問われない。この環状溝部は、縫い糸が取着可能な溝深さ、たとえば、環状溝部に縫い糸を結び付けた状態で、溝の開口縁に縫い糸が引っ掛かって抜け外れない程度の溝深さであればよい。かかる環状溝部に対する縫い糸の取着方法としては、前記した結着の他に、接着あるいは熱融着して溝に一体化することがあり、さらに、結着したうえで接着あるいは熱融着する等して取着するようにしてもよい。
【０００７】
２．針本体がプラスチック製で、この針本体の表面部における少なくとも基端部に縫い糸が取着可能な溝幅からなる長手方向に沿う係止溝部を有していることを特徴とする。
針本体の針先の態様、針本体の断面形状、針本体の材質等は前記1で説明したとおりであるため、説明を省略する。係止溝部は、１本であってもよいし、複数本であってもよく、この溝断面形状は縫い糸を嵌合・係止あるいは同嵌合・係止状態に接着もしくは熱融着して一体化可能な形状であればよい。
【０００８】
３．針本体がプラスチック製で、この針本体の表面部における針先を除く中央部あるいは基端部に縫い糸が取着可能な溝深さからなる環状溝部を、当該環状溝部の基端側に連続して、縫い糸が取着可能な溝幅からなる長手方向に沿う係止溝部を、それぞれ有していることを特徴とする。
針本体の針先の態様、針本体の断面形状、針本体の材質、環状溝部、係止溝部等については、前記した通りで説明を省略する。
【発明の効果】
【０００９】
Ａ．請求項１により、指先を意図的に突かない限り怪我する心配が殆どなく安全に裁縫可能で、しかも、色や太さの異なる様々な天然繊維製の糸あるいは合成繊維製の糸を環状溝部に結着あるいは接着もしくは熱融着することで自由に繰り返し使うことができる。
Ｂ．請求項２により、指先を意図的に突かない限り怪我する心配が殆どなく安全に裁縫可能で、しかも、色や太さの異なる様々な天然繊維製の糸あるいは合成繊維製の糸を係止溝部に嵌合・係止あるいは同嵌合・係止状態に接着もしくは熱融着することで自由に繰り返し使うことができる。
Ｃ．請求項３により、指先を意図的に突かない限り怪我する心配が殆どなく安全に裁縫可能で、しかも、色や太さの異なる様々な天然繊維製の糸あるいは合成繊維製の糸を、環状溝部に結着あるいは接着もしくは熱融着して取着するか、係止溝部に嵌合・係止あるいは同嵌合・係止状態に接着もしくは熱融着して取着するか、環状溝部と係止溝部の双方に取着するかして、自由に繰り返し使うことができる。
さらに、環状溝部に取着する糸と、係止溝部に取着する糸の色を違えて適宜組み合わせれば、カラフルな模様や刺繍に好適である。
【発明を実施するための最良の形態】
【００１０】
図１には本発明の請求項１発明における縫い針の実施の１形態を例示しており、針本体１は、断面丸形状のジュラコン製で、この針本体１の表面部２における先鋭状の針先３に対して、基端部５には環状溝部６を設けてある。
環状溝部６は、縫い糸１０が結着あるいは接着もしくは熱融着して取着可能な溝深さにしてあり、例えば、この環状溝部６に縫い糸１０を結び付けた状態で、溝の開口縁７に縫い糸１０が引っ掛かって抜け外れず、接着もしくは熱融着した状態で縫い糸１０が溝内に収まる程度の溝深さに形成してある。
さらに、環状溝部６の溝幅を複数本の縫い糸１０が取着可能にしてあることにより、取着する縫い糸１０の色を違えて適宜組み合わせれば、カラフルな模様や刺繍に好適である。
【００１１】
図２には本発明の請求項２発明における縫い針の実施の１形態を例示しており、針本体１は、リブ８を放射状に配設している断面略菊の花形状のジュラコン製で、この針本体１の表面部２には、先鋭状の針先３を除いて、平行状の隣り合う各リブ８間に係止溝部９を長手方向に沿い設けてある。
係止溝部９は、縫い糸１０が弾性的に嵌合・係止あるいは同嵌合・係止状態に接着もしくは熱融着して取着可能な溝幅にしてあり、この係止溝部９に縫い糸１０を嵌合・係止した状態で、隣り合うリブ８に縫い糸１０が弾性的に挟持されて抜け外れない程度に形成してある。これにより、縫い糸１０の本数は係止溝９数と同数まで増減することが可能になる。さらに、取着する縫い１０糸の色を違えて適宜組み合わせれば、カラフルな模様や刺繍に好適である。
【００１２】
図３には本発明の請求項３発明における縫い針の実施の１形態を例示しており、（ａ）および（ｂ）に示す針本体１は、リブ８を放射状に配設している断面略菊の花形状のジュラコン製で、この針本体１の表面部２における先鋭状の針先３に対して、中央部４には環状溝部６を設けてある。
環状溝部６は、縫い糸１０が結着あるいは接着もしくは熱融着して取着可能な溝深さにしてあり、この環状溝部６に縫い糸１０を結び付けた状態で、溝の開口縁７に縫い糸１０が引っ掛かって抜け外れない程度の溝深さに形成してある。
そして、針本体１の表面部２には、先鋭状の針先３を除いて、平行状の隣り合う各リブ８間に係止溝部９を長手方向に沿い設けてある。
係止溝部９は、縫い糸１０が弾性的に嵌合・係止あるいは同嵌合・係止状態に接着もしくは熱融着して取着可能な溝幅にしてあり、この係止溝部９に縫い糸１０を嵌合・係止した状態で、隣り合うリブ８に縫い糸１０が弾性的に挟持されて抜け外れない程度に形成してある。また、係止溝部９は環状溝部６と連続しており、この係止溝部９に嵌合・係止した縫い糸１０を環状溝部６から返して隣り合う他の係止溝部９に嵌合・係止することによって、縫い糸１０の嵌合・係止関係が強固になるように形成してある。かかる嵌合・係止関係は、縫い糸１０を環状溝部６に結び付けるか、接着もしくは熱融着することでさらに強化されることになる。また、縫い糸１０の本数を係止溝部９数の少なくとも半数まで増減することが可能になる。
これにより、環状溝部６および／または係止溝部９に取着する縫い糸１０の色を違えて適宜組み合わせれば、カラフルな模様や刺繍に好適である。
【００１３】
図３の（ｃ）には本発明の請求項３発明の縫い針における実施の他の１形態を例示しており、構成は前記した図３の（ａ）の態様のものと基本的に同一であるため、共通している構成の説明は符号を準用して省略し、相違する構成について説明する。
針本体１は、基端部５に環状溝部６を設けてある。
これにより、環状溝部６および／または係止溝部９に取着する縫い糸１０の色を違えて適宜組み合わせれば、カラフルな模様や刺繍に好適である。
【００１４】
図４には本発明の請求項３発明の縫い針における実施の他の１形態を例示しており、構成は前記した図３の（ａ）の態様のものと基本的に同一であるため、共通している構成の説明は符号を準用して省略し、相違する構成について説明する。
針本体１は、中央部４および基端部５に環状溝部６をそれぞれ設けてある。
これにより、中央部４および基端部５の係止溝部９に取着する縫い糸１０の色を違えて適宜組み合わせれば、カラフルな模様や刺繍に好適である。
【００１５】
図５には本発明の請求項３発明の縫い針における実施の他の１形態を例示しており、構成は前記した図３の（ｃ）の態様のものと基本的に同一であるため、共通している構成の説明は符号を準用して省略し、相違する構成について説明する。
針本体１は、断面略十字形状に成形してあり、表面部２における基端部５には環状溝部６を設けると共に、平行状の隣り合う各リブ８間に係止溝部９を長手方向に沿い設けてある。
これにより、環状溝部６および／または係止溝部９に取着する縫い糸１０の色を違えて適宜組み合わせれば、カラフルな模様や刺繍に好適である。
【図面の簡単な説明】
【００１６】
【図１】本発明の請求項１発明における縫い針の実施の１形態を例示している正面図。
【図２】（ａ）は本発明の請求項２発明における縫い針の実施の１形態を例示している正面図。（ｂ）は（２ｂ）−（２ｂ）拡大断面図。
【図３】（ａ）は本発明の請求項３発明における縫い針の実施の１形態を例示している正面図。（ｂ）は（３ｂ）−（３ｂ）拡大断面図。（ｃ）は本発明の請求項３発明の縫い針における実施の他の１形態を例示している正面図。
【図４】本発明の請求項３発明の縫い針における実施の他の１形態を例示している正面図。
【図５】（ａ）は本発明の請求項３発明の縫い針における実施の他の１形態を例示している正面図。（ｂ）は（５ｂ）−（５ｂ）拡大断面図。
【符号の説明】
【００１７】
１  針本体
２  表面部
３  針先
４  中央部
５  基端部
６  環状溝部
７  開口縁
８  リブ
９  係止溝部
１０  縫い糸
【図１】
2006051245.tif 000003
【図２】
2006051245.tif 000004
【図３】
2006051245.tif 000005
【図４】
2006051245.tif 000006
【図５】
2006051245.tif 000007